(57)【要約】【課題】本考案は、固形石鹸、特に小さくなって使いづらくなった固形石鹸を、うまく利用できるようにした身体の洗浄具の提供を図ることを課題とする。【解決手段】洗浄用の筒状ネット１１と、前記筒状ネット１１の両端に設けられた把持部２１とを備え、両端の把持部２１を持って身体を洗う。前記筒状ネット１１は、開閉可能な開口部１３と、前記開口部１３から入れられた固形石鹸を保持する保持部１４とを備える。前記保持部１４に小さくなった固形石鹸を入れて前記身体を洗うことができる。【選択図】図１
0003191256.tif 000002
【実用新案登録請求の範囲】
【請求項１】
洗浄用の筒状ネットと、前記筒状ネットの両端に設けられた把持部とを備え、両端の把持部を持って身体を洗うようにした身体の洗浄具において、
前記筒状ネットは、開閉可能な開口部と、前記開口部から入れられた固形石鹸を保持する保持部とを備え、
前記保持部に前記固形石鹸を入れた状態で前記身体を洗うことができるようにしたことを特徴とする身体の洗浄具。
【考案の詳細な説明】
【技術分野】
【０００１】
本考案は、身体の洗浄具に関するものである。
【背景技術】
【０００２】
特許文献１に示されるように、洗浄用の筒状ネットと、前記筒状ネットの両端に設けられた把持部とを備え、両端の把持部を持って身体を洗うようにした身体の洗浄具が知られている。
他方、固形石鹸は、小さくなると使いづらくなり、うまくタオル等に固形石鹸を付けることができなくなる。
【先行技術文献】
【特許文献】
【０００３】
【特許文献１】特開２０１３−１７７８４号公報
【考案の概要】
【考案が解決しようとする課題】
【０００４】
本考案は、固形石鹸、特に小さくなって使いづらくなった固形石鹸を、うまく利用できるようにした身体の洗浄具の提供を図ることを課題とする。
【課題を解決するための手段】
【０００５】
本考案は、洗浄用の筒状ネットと、前記筒状ネットの両端に設けられた把持部とを備え、両端の把持部を持って身体を洗うようにした身体の洗浄具において、前記筒状ネットは、開閉可能な開口部と、前記開口部から入れられた固形石鹸を保持する保持部とを備え、前記保持部に前記固形石鹸を入れた状態で前記身体を洗うことができるようにしたことを特徴とする身体の洗浄具を提供する。
【０００６】
なお、前記保持部は、前記筒状ネットの内部の全体であってもよく、一部であってもよいが、固形石鹸が前記筒状ネット内で大きく移動できないようにしておく方が、うまく身体を洗い易い。
【考案の効果】
【０００７】
本考案は、筒状ネットが、開閉可能な開口部と、開口部から入れられた固形石鹸を保持する保持部とを備えるものであるため、固形石鹸を入れた状態で筒状ネットで身体を洗えば、保持部に収納した石鹸で泡が立って、効率的に身体を洗うことができる。しかも、小さくなって使いづらくなった固形石鹸を、うまく利用して、身体を洗うことができる。
【０００８】
なお、前記固形石鹸は、小さくなったものを用いることができるため有利であるが、新品の固形石鹸を前記保持部に入れて使用することを妨げるものではない。
【図面の簡単な説明】
【０００９】
【図１】本考案の実施の形態に係る身体の洗浄具の平面図。
【図２】同要部側面図。
【考案を実施するための形態】
【００１０】
以下、図面に基づき本考案の実施の形態を説明する。
この身体を洗うための洗浄具は、洗浄用の筒状ネット１１と、筒状ネット１１の両端に設けられた把持部２１とを備える。
筒状ネット１１は、合成樹脂や合成繊維製のネットであり筒状に形成されている。筒状ネット１１の製造に際しては、２枚のネットの周囲を逢着してもよく、１枚のネットを二つ折りにして逢着してもよく、ネットの製造時に筒状に形成したものであってもよい。筒状ネット１１は一重のネットで構成してもよく、複数枚を重ねて二重以上の構成としてもよい。
【００１１】
把持部２１はＵ字状にした紐の両端を、筒状ネット１１の両端に縫い付けたものとして実施されている。逢着強度を高めるために、二重三重に縫い付けることも好ましく、また、ネットを折り重ねるようにしてもよい。把持部２１は太めの紐を用いる他、筒状ネット１１の両端に孔を明けたり結び目を作ったりして、人が握ることができるようにしたものや、握り棒を取り付けたものなど、洗浄時に人が握りやすい構造としたものであればよい。
【００１２】
筒状ネット１１の大きさは、人が両端を持って背中を洗えるのに適した大きさとすることが好ましい。例えば、長さ３０〜７０cm、幅５〜２０cm程度のものとして実施することができ、具体例としては長さ６０cm、幅１３cmのものを例示し得る。
この筒状ネット１１は、開閉可能な開口部１３と、開口部１３から入れられた固形石鹸を保持する保持部１４とを備える。この例では、保持部１４は筒状ネット１１の長手方向の略中央に配置されているが、両端のうちいずれか一方に偏った状態で保持部１４を設けることもできる。
【００１３】
また、この例では、開口部１３は筒状ネット１１の長手方向に沿って設けられている。例えば、筒状ネット１１が２枚のネットを逢着して、或いは１枚のネットを二つ折りにして逢着して形成されたものである場合には、その逢着した辺の一部を逢着せずに開口部１３として実施することができる。なお、開口部１３を、筒状ネット１１の長手方向と直行する方向（短手方向という）に伸びるものとして実施することもできるが、洗浄作業時にも開口部１３が不用意に開口しない点で、開口部１３を筒状ネット１１の長手方向に沿って設けることが好ましい。
【００１４】
開口部１３には、面ファスナやホックやボタンなどの係止具１６が設けられており、係止具１６を係合することで、開口部１３が閉じられる。係止具１６は開口部１３の全長に渡って設けることもできるが、固形石鹸の飛び出しを防止できるものであれば、その一部にのみ設けてもよい。
【００１５】
保持部１４は、筒状ネット１１の内部から固形石鹸が飛び出さないように保持することができるものであればよく、筒状ネット１１の全体を保持部１４として実施することもできる。但し、筒状ネット１１の全体を保持部１４として実施すると、筒状ネット１１内での固形石鹸の位置が安定しない。そのため、筒状ネット１１の短手方向にミシン目１７などの逢着を施すなどして、筒状ネット１１内の一部に保持部１４を形成して、固形石鹸が筒状ネット１１内を自由に移動できないようにする方が望ましい。この場合、保持部１４は、筒状ネット１１の長手方向において、５〜１５cmの長さを有するものとして実施することができ、具体例としては長さ１３cmのものを例示し得る。
【００１６】
また、図２に示すように、保持部１４の内部については、内ネット１５を配置して、ネットを二重にするなどすることで、固形石鹸を入れて身体を擦った際にも、身体に痛みを感じさせないような工夫を施すことも好ましい。また、内ネット１５をポケット状にして実施することもできる。
【００１７】
この洗浄具の使用方法としては、従来の洗浄具と同様、把持部２１を持って身体を洗えばよいが、開口部１３から保持部１４内に固形石鹸を入れて身体を洗うことによって、別途石鹸を付けずとも、良好に泡立ちが生じて楽に身体を洗うことができる。しかも、使用済みの小さくなった石鹸を収納することで、石鹸の無駄遣いを防ぐことができる。但し、未使用の石鹸を入れて使用することも当然可能である。
【００１８】
また、洗浄具の使用後は、把持部２１等を利用して浴室内の適宜位置につり下げておくことで、石鹸や筒状ネット１１を良好に乾かすこともできる。
【符号の説明】
【００１９】
１１  筒状ネット
１２  逢着線
１３  開口部
１４  保持部
１５  内ネット
１６  係止具
２１  把持部
【図１】
0003191256.tif 000003
【図２】
0003191256.tif 000004